(57)【要約】【課題】鞘管に装着された仮設手摺のぐらつきやガタ付きを効果的に防止できるとともに、コストダウンを図ることができる仮設手摺用スリーブを提供すること。【解決手段】仮設手摺用スリーブ１０であって、下端部２０ａの外径が鞘管６の内径より小さく、上端部２０ｂの外径が鞘管６の内径より大きい、下端部２０ａから上端部２０ｂに向けて拡径する外周面２０ｃと、下端部２０ａの内径が手摺支柱５の外径より小さく、上端部２０ｂの内径が手摺支柱５の外径より大きい、下端部２０ａから上端部２０ｂに向けて拡径する内周面２０ｄとを備えた筒状体２０からなり、筒状体２０の中間部より下部に、下端部２０ａから上端部２０ｂに向けて形成されたスリット２１と、外周面２０ｃにおける下端部２０ａからスリット２１の閉鎖端２１ａまでの間に、当該筒状体２０の中心軸を中心とする円周方向に形成された帯状突起部２２とを備える。【選択図】図２
0003225451.tif 000002
【実用新案登録請求の範囲】
【請求項１】
鞘管に仮設手摺の手摺支柱を装着する際に使用される仮設手摺用スリーブであって、
下端部の外径が前記鞘管の内径より小さく、上端部の外径が前記鞘管の内径より大きい、前記下端部から前記上端部に向けて拡径する外周面と、
前記下端部の内径が前記手摺支柱の外径より小さく、前記上端部の内径が前記手摺支柱の外径より大きい、前記下端部から前記上端部に向けて拡径する内周面とを備えた筒状体からなり、
該筒状体の中間部より下部に、前記下端部から前記上端部に向けて形成された少なくとも１以上のスリットと、
前記外周面における前記下端部から前記スリットの閉鎖端までの間に、当該筒状体の中心軸を中心とする円周方向に形成された少なくとも１以上の帯状突起部又はイボ状突起部とを備えていることを特徴とする仮設手摺用スリーブ。
【請求項２】
前記帯状突起部又は前記イボ状突起部の縦断面が略円弧形状であることを特徴とする請求項１記載の仮設手摺用スリーブ。
【請求項３】
前記帯状突起部又は前記イボ状突起部の頂部をつないだ円の直径が、前記鞘管の内径以下であることを特徴とする請求項１又は請求項２記載の仮設手摺用スリーブ。
【請求項４】
前記筒状体の前記下端部の内径が前記上端部の内径よりも１．５ｍｍから３ｍｍ程小さいことを特徴とする請求項１〜３のいずれかの項に記載の仮設手摺用スリーブ。
【請求項５】
前記筒状体の肉厚が前記下端部から前記上端部まで略均一であることを特徴とする請求項１〜４のいずれかの項に記載の仮設手摺用スリーブ。
【請求項６】
鞘管に仮設手摺の手摺支柱を装着する際に使用される仮設手摺用スリーブであって、
前記鞘管の内周面に少なくとも一部を密着させた状態で挿入可能な筒状体からなり、
該筒状体が、
前記手摺支柱が挿入される挿入口と、
該挿入口に向けてテーパ状に広げられたテーパ部と、
当該筒状体の外周面に、当該筒状体の中心軸を中心とする円周方向に形成された１以上の帯状突起部とを備え、
該帯状突起部の先端が前記鞘管の内周面に密着するように構成されていることを特徴とする仮設手摺用スリーブ。
【請求項７】
鞘管に仮設手摺の手摺支柱を装着する際に使用される仮設手摺用スリーブであって、
前記鞘管の内周面に少なくとも一部を密着させた状態で挿入可能な筒状体からなり、
該筒状体が、
前記手摺支柱が挿入される挿入口と、
該挿入口に向けてテーパ状に広げられたテーパ部と、
当該筒状体の外周面に形成された１以上のイボ状突起部とを備え、
該イボ状突起部の先端が前記鞘管の内周面に密着するように構成されていることを特徴とする仮設手摺用スリーブ。
【請求項８】
前記筒状体の内周面にさらに１以上の帯状突起部又はイボ状突起部が形成され、
該帯状突起部又は該イボ状突起部の先端が前記手摺支柱の外周面に密着するように構成されていることを特徴とする請求項６又は請求項７記載の仮設手摺用スリーブ。
【請求項９】
前記筒状体が、
前記テーパ部の下側に胴体部を備え、
該胴体部に、２つ以上のスリットが形成されることによる弾性片が形成されていることを特徴とする請求項６〜８のいずれかの項に記載の仮設手摺用スリーブ。
【請求項１０】
前記筒状体の上部に、固定具を用いて当該筒状体に挿入された前記手摺支柱と一体化するための固定具取付部を備えていることを特徴とする請求項１〜９のいずれかの項に記載の仮設手摺用スリーブ。
【請求項１１】
鞘管に仮設手摺の手摺支柱を装着する際に使用される仮設手摺用スリーブであって、
下端部の外径が前記鞘管の内径より小さく、上端部の外径が前記鞘管の内径より大きい、前記下端部から前記上端部に向けて拡径する外周面と、
前記下端部の内径が前記手摺支柱の外径より小さく、前記上端部の内径が前記手摺支柱の外径より大きい、前記下端部から前記上端部に向けて拡径する内周面、又は前記下端部から前記上端部に向けて前記手摺支柱の外径より大きい同一内径を有する内周面とを備えた筒状体からなり、
該筒状体の中間部より下部に、前記下端部から前記上端部に向けて形成された少なくとも１以上のスリットと、
前記筒状体の上部に、固定具を用いて、当該筒状体に挿入された前記手摺支柱と一体化するための固定具取付部を備えていることを特徴とする仮設手摺用スリーブ。
【請求項１２】
前記固定具が、ボルトとナットとを含み、
前記固定具取付部が、前記ボルトを挿通して取り付けるためのボルト取付孔であり、
該ボルト取付孔と、前記手摺支柱に形成されたボルト挿通孔とに前記ボルトが挿通されて、前記ナットで固定されることにより前記筒状体と前記手摺支柱とが一体化されるように構成されていることを特徴とする請求項１０又は請求項１１記載の仮設手摺用スリーブ。
【考案の詳細な説明】
【技術分野】
【０００１】
本考案は仮設手摺用スリーブに関し、より詳細には建設工事等において、躯体などに固定された鞘管に仮設手摺の支柱を装着する際に使用される仮設手摺用スリーブに関する。
【背景技術】
【０００２】
一般に、コンクリート建造物などの建築工事の現場では、作業者の転落事故などを防止するため、仮設手摺が躯体の各部に設置される。
図８は下記の特許文献１に記載されている仮設手摺の設置例を示している。
仮設手摺３は、鉄骨や型枠などにて構築された床面１と該床面１より鉛直方向に延設された柱２とで囲まれる開口空間に転落防止用として設置されるものである。
【０００３】
仮設手摺３は、方形状の枠部４と、この枠部４より下方に延設された一対の手摺支柱５とを含んで構成され、手摺支柱５を躯体の床面１に固定された鞘管６の内部に挿入して躯体の各部に仮設されるようになっている。
枠部４は、上下の桁材７Ａと補強材７Ｂとが結合され、桁材７Ａの両側にＵ字管８が摺動自在に嵌合された枠体７で構成され、Ｕ字管８を柱２の間隔に合わせて伸縮させることが可能となっている。また、手摺支柱５は一方を枠部４に固定するとともに他方をＵ字管８に取り付けて、摺動自在とし、鞘管６の間隔に応じて手摺支柱５の間隔を調節することが可能となっている。
【０００４】
仮設手摺３は、躯体に固定された鞘管６の内部に手摺支柱５を挿入することにより仮設されるが、躯体の床面１にコンクリートを打設したときに、コンクリートが鞘管６の内部に流入するなどしてその撤去が困難になることがある。そこで、コンクリートを打設した後でも仮設手摺３を容易に撤去できるようにするために、手摺支柱５と鞘管６との嵌合部分に仮設手摺用スリーブ５０が装着される。
【０００５】
図９は、下記の特許文献１に開示されている仮設手摺用スリーブの斜視図である。図１０は、コンクリート打設後の仮設手摺用スリーブ周辺部分の断面図を示している。
仮設手摺用スリーブ５０は、合成樹脂製の中空軸体６０からなり、中空軸体６０は、テーパ部６２と、その下の円筒部６３と、さらに円筒部６３の下側の裾部６１とから構成され、中空軸体６０の内部に仮設手摺３の手摺支柱５が挿入されるようになっている。
【０００６】
裾部６１には、円筒部６３の一端面よりその軸方向に一定の間隔で割溝６４が形成され、また、内側に隆起させた隆起部６６が形成され、これら割溝６４によって舌片６５が形成されている。そして、図１０に示すように、仮設手摺３の手摺支柱５を支持する鞘管６には、中空軸体６０がその裾部６１より挿入され、テーパ部６２が鞘管６の上端縁に密着させた状態で装着されるようになっている。
【０００７】
このような仮設手摺用スリーブ５０によれば、仮設手摺３が設置された後、その設置部分に鞘管６の上方までコンクリートが打設された場合であっても、鞘管６の内部へのコンクリートの流入が中空軸体６０により防止される。そのため、コンクリートの固化後、手摺支柱５を鞘管６から容易に引き抜くことができ、また、中空軸体６０も鞘管６から引き抜くことができ、また、隆起部６６を手摺支柱５の外周面に密着させることで仮設手摺３のガタ付きを防止できるとされている。
【０００８】
［考案が解決しようとする課題］
しかしながら、仮設手摺用スリーブ５０では、隆起部６６と鞘管６の内周面との間などに、余分な隙間が多く形成されているため、仮設手摺３の安定性が悪く、仮設手摺３のぐらつきやガタ付きを十分に防止できないという課題があった。
また、仮設手摺用スリーブ５０では、中空軸体６０が複雑な形状をしているので、金型などを含む製造コストが嵩むという課題があった。
【先行技術文献】
【特許文献】
【０００９】
【特許文献１】実用新案登録第３０４２５７３号公報
【考案の概要】
【課題を解決するための手段及びその効果】
【００１０】
本考案は上記課題に鑑みなされたものであって、鞘管に装着される仮設手摺のぐらつきやガタ付きを効果的に防止することができ、しかもコストダウンを図ることができる仮設手摺用スリーブを提供することを目的としている。
【００１１】
上記目的を達成するために本考案に係る仮設手摺用スリーブ（１）は、鞘管に仮設手摺の手摺支柱を装着する際に使用される仮設手摺用スリーブであって、
下端部の外径が前記鞘管の内径より小さく、上端部の外径が前記鞘管の内径より大きい、前記下端部から前記上端部に向けて拡径する外周面と、
前記下端部の内径が前記手摺支柱の外径より小さく、前記上端部の内径が前記手摺支柱の外径より大きい、前記下端部から前記上端部に向けて拡径する内周面とを備えた筒状体からなり、
該筒状体の中間部より下部に、前記下端部から前記上端部に向けて形成された少なくとも１以上のスリットと、
前記外周面における前記下端部から前記スリットの閉鎖端までの間に、当該筒状体の中心軸を中心とする円周方向に形成された少なくとも１以上の帯状突起部又はイボ状突起部とを備えていることを特徴としている。
【００１２】
上記仮設手摺用スリーブ（１）によれば、前記筒状体の外周面の少なくとも一部と前記帯状突起部又は前記イボ状突起部とを前記鞘管の内周面に密着させた状態で、かつ、前記筒状体の内周面の少なくとも一部を前記手摺支柱の外周面に密着させた状態で、前記手摺支柱を前記鞘管に装着することができる。したがって、前記鞘管に装着された前記仮設手摺のぐらつきやガタ付きを効果的に防止することができる。また、前記筒状体の形状がシンプルであるので、金型などの製作コストを抑制することができ、製品のコストダウンを図ることができる。
【００１３】
また本考案に係る仮設手摺用スリーブ（２）は、上記仮設手摺用スリーブ（１）において、前記帯状突起部又は前記イボ状突起部の縦断面が略円弧形状であることを特徴としている。
【００１４】
上記仮設手摺用スリーブ（２）によれば、前記帯状突起部又は前記イボ状突起部の縦断面が略円弧形状であるので、当該仮設手摺用スリーブを前記手摺支柱に外嵌させて、係る状態で前記手摺支柱を前記鞘管に挿入する場合であっても、前記筒状体の少なくとも下部を前記手摺支柱と前記鞘管との隙間（環状空隙）に容易かつ確実に圧入して固定することができる。
【００１５】
また本考案に係る仮設手摺用スリーブ（３）は、上記仮設手摺用スリーブ（１）又は（２）において、前記帯状突起部又は前記イボ状突起部の頂部をつないだ円の直径が、前記鞘管の内径以下であることを特徴としている。
【００１６】
上記仮設手摺用スリーブ（３）によれば、前記帯状突起部又は前記イボ状突起部の頂部をつないだ円の直径が、前記鞘管の内径以下であるので、上記仮設手摺用スリーブ（２）と同様の効果を得ることができる。
【００１７】
また本考案に係る仮設手摺用スリーブ（４）は、上記仮設手摺用スリーブ（１）〜（３）のいずれかにおいて、前記筒状体の前記下端部の内径が前記上端部の内径よりも１．５ｍｍから３ｍｍ程小さいことを特徴としている。
【００１８】
上記仮設手摺用スリーブ（４）によれば、前記筒状体の前記下端部の内径が前記上端部の内径よりも１．５ｍｍから３ｍｍ程小さい、すなわち、内径差が小さいので、前記筒状体の内周面に前記手摺支柱の外周面をより多く密着させることができ、前記鞘管に装着された前記仮設手摺のぐらつきやガタ付きの防止効果を高めることができる。
【００１９】
また本考案に係る仮設手摺用スリーブ（５）は、上記仮設手摺用スリーブ（１）〜（４）のいずれかにおいて、前記筒状体の肉厚が前記下端部から前記上端部まで略均一であることを特徴としている。
【００２０】
上記仮設手摺用スリーブ（５）によれば、前記筒状体の肉厚が前記下端部から前記上端部まで略均一であるので、前記筒状体の部分的なそりや歪みの発生を防止することができる。
【００２１】
また本考案に係る仮設手摺用スリーブ（６）は、鞘管に仮設手摺の手摺支柱を装着する際に使用される仮設手摺用スリーブであって、
前記鞘管の内周面に少なくとも一部を密着させた状態で挿入可能な筒状体からなり、
該筒状体が、
前記手摺支柱が挿入される挿入口と、
該挿入口に向けてテーパ状に広げられたテーパ部と、
当該筒状体の外周面に、当該筒状体の中心軸を中心とする円周方向に形成された１以上の帯状突起部とを備え、
該帯状突起部の先端が前記鞘管の内周面に密着するように構成されていることを特徴としている。
【００２２】
上記仮設手摺用スリーブ（６）によれば、前記筒状体の外周面の少なくとも一部と前記帯状突起部とを前記鞘管の内周面に密着させた状態で、かつ、前記筒状体の内周面の少なくとも一部を前記手摺支柱の外周面に密着させた状態で、前記手摺支柱を前記鞘管に装着することができる。したがって、前記鞘管に装着された前記仮設手摺のぐらつきやガタ付きを効果的に防止することができる。また、前記筒状体の形状がシンプルであるので、金型などの製作コストを抑制することができ、製品のコストダウンを図ることができる。
【００２３】
また本考案に係る仮設手摺用スリーブ（７）は、鞘管に仮設手摺の手摺支柱を装着する際に使用される仮設手摺用スリーブであって、
前記鞘管の内周面に少なくとも一部を密着させた状態で挿入可能な筒状体からなり、
該筒状体が、
前記手摺支柱が挿入される挿入口と、
該挿入口に向けてテーパ状に広げられたテーパ部と、
当該筒状体の外周面に形成された１以上のイボ状突起部とを備え、
該イボ状突起部の先端が前記鞘管の内周面に密着するように構成されていることを特徴としている。
【００２４】
上記仮設手摺用スリーブ（７）によれば、前記筒状体の外周面の少なくとも一部と前記イボ状突起部とを前記鞘管の内周面に密着させた状態で、かつ、前記筒状体の内周面の少なくとも一部を前記手摺支柱の外周面に密着させた状態で、前記手摺支柱を前記鞘管に装着することができる。したがって、前記鞘管に装着された前記仮設手摺のぐらつきやガタ付きを効果的に防止することができる。また、前記筒状体の形状がシンプルであるので、金型などの製作コストを抑制することができ、製品のコストダウンを図ることができる。
【００２５】
また本考案に係る仮設手摺用スリーブ（８）は、上記仮設手摺用スリーブ（６）又は（７）において、前記筒状体の内周面にさらに１以上の帯状突起部又はイボ状突起部が形成され、
該帯状突起部又は該イボ状突起部の先端が前記手摺支柱の外周面に密着するように構成されていることを特徴としている。
【００２６】
上記仮設手摺用スリーブ（８）によれば、前記筒状体の外周面に形成された前記帯状突起部又は前記イボ状突起部の先端を前記鞘管の内周面に密着させた状態で、かつ、前記筒状体の内周面に形成された前記帯状突起部又は前記イボ状突起部を前記手摺支柱の外周面に密着させた状態で、前記手摺支柱を前記鞘管に装着することができる。したがって、前記鞘管に装着された前記仮設手摺のぐらつきやガタ付きの防止効果をさらに高めることができる。
【００２７】
また本考案に係る仮設手摺用スリーブ（９）は、上記仮設手摺用スリーブ（６）〜（８）のいずれかにおいて、前記筒状体が、前記テーパ部の下側に胴体部を備え、該胴体部に、２つ以上のスリットが形成されることによる弾性片が形成されていることを特徴としている。
【００２８】
上記仮設手摺用スリーブ（９）によれば、前記胴体部に形成された前記弾性片が、当該筒状体の径方向内側に付勢されることとなるので、前記鞘管への前記筒状体の挿入をよりスムーズに行うことができる。また、前記筒状体に形成された前記帯状突起部の先端又は前記イボ状突起部の先端を前記鞘管の内周面又は前記手摺支柱の外周面に押圧した状態で、前記手摺支柱を前記鞘管に装着することができる。したがって、前記鞘管に装着された前記仮設手摺のぐらつきやガタ付きをより効果的に防止することができる。
【００２９】
また本考案に係る仮設手摺用スリーブ（１０）は、上記仮設手摺用スリーブ（１）〜（９）のいずれかにおいて、前記筒状体の上部に、固定具を用いて、当該筒状体に挿入された前記手摺支柱と一体化するための固定具取付部を備えていることを特徴としている。
【００３０】
また本考案に係る仮設手摺用スリーブ（１１）は、鞘管に仮設手摺の手摺支柱を装着する際に使用される仮設手摺用スリーブであって、
下端部の外径が前記鞘管の内径より小さく、上端部の外径が前記鞘管の内径より大きい、前記下端部から前記上端部に向けて拡径する外周面と、
前記下端部の内径が前記手摺支柱の外径より小さく、前記上端部の内径が前記手摺支柱の外径より大きい、前記下端部から前記上端部に向けて拡径する内周面、又は前記下端部から前記上端部に向けて前記手摺支柱の外径より大きい同一内径を有する内周面とを備えた筒状体からなり、
該筒状体の中間部より下部に、前記下端部から前記上端部に向けて形成された少なくとも１以上のスリットと、
前記筒状体の上部に、固定具を用いて、当該筒状体に挿入された前記手摺支柱と一体化するための固定具取付部を備えていることを特徴としている。
【００３１】
上記仮設手摺用スリーブ（１０）、（１１）によれば、前記固定具を用いて、前記筒状体と前記手摺支柱とを一体化した状態で、前記鞘管に装着したり、また前記鞘管から取り外したりすることができ、着脱工程の簡略化を図ることができ、作業性を向上させることができる。
また、前記筒状体と前記手摺支柱とが一体化されるので、前記仮設手摺のぐらつきやガタ付きを効果的に防止できるとともに、前記筒状体がシンプルな形状であるので、金型などの製造コストを抑制することができ、製品のコストダウンを図ることができる。
【００３２】
また本考案に係る仮設手摺用スリーブ（１２）は、上記仮設手摺用スリーブ（１０）又は（１１）において、前記固定具が、ボルトとナットとを含み、
前記固定具取付部が、前記ボルトを挿通して取り付けるためのボルト取付孔であり、
該ボルト取付孔と、前記手摺支柱に形成されたボルト挿通孔とに前記ボルトが挿通されて、前記ナットで固定されることにより前記筒状体と前記手摺支柱とが一体化されるように構成されていることを特徴としている。
【００３３】
上記仮設手摺用スリーブ（１２）によれば、前記固定具として前記ボルトと前記ナットとを用いることにより、簡単に前記筒状体と前記手摺支柱とを一体化させることができる。
【図面の簡単な説明】
【００３４】
【図１】本考案の実施の形態（１）に係る仮設手摺用スリーブを示す図であり、（ａ）は側面図、（ｂ）は平面図、（ｃ）は（ｂ）におけるｃ−ｃ線断面図である。
【図２】実施の形態（１）に係る仮設手摺用スリーブの使用状態の一例を示す縦断面図である。
【図３】実施の形態（２）に係る仮設手摺用スリーブを示す図であり、（ａ）は側面図、（ｂ）は平面図、（ｃ）は（ｂ）におけるｃ−ｃ線断面図である。
【図４】実施の形態（３）に係る仮設手摺用スリーブを示す図であり、（ａ）は側面図、（ｂ）は平面図、（ｃ）は（ｂ）におけるｃ−ｃ線断面図である。
【図５】実施の形態（４）に係る仮設手摺用スリーブを示す図であり、（ａ）は側面図、（ｂ）は平面図、（ｃ）は（ｂ）におけるｃ−ｃ線断面図である。
【図６】実施の形態（４）に係る仮設手摺用スリーブの使用状態の一例を示す縦断面図である。
【図７】実施の形態（５）に係る仮設手摺用スリーブの使用状態の一例を示す縦断面図である。
【図８】従来の仮設手摺の設置例を示す図である。
【図９】従来の仮設手摺用スリーブを示す外観斜視図である。
【図１０】従来の仮設手摺用スリーブの使用状態を示す縦断面図である。
【考案を実施するための形態】
【００３５】
以下、本考案に係る仮設手摺用スリーブの実施の形態を図面に基づいて説明する。なお、以下に述べる実施の形態は、本考案の好適な具体例であるから、技術的に好ましい種々の限定が付されているが、本考案の範囲は、以下の説明において特に本考案を限定する旨の記載がない限り、これらの形態に限定されるものではない。
【００３６】
図１は、本考案の実施の形態（１）に係る仮設手摺用スリーブ１０を示す図であり、（ａ）は側面図、（ｂ）は平面図、（ｃ）は（ｂ）におけるｃ−ｃ線断面図である。
図２は、実施の形態（１）に係る仮設手摺用スリーブ１０の使用状態の一例を示す縦断面図である。なお、図８に示した仮設手摺３の各部と同一機能を有する構成部品には、同一符号を付すこととする。
【００３７】
仮設手摺用スリーブ１０は、床面１など躯体に固定された鞘管６に仮設手摺３の手摺支柱５を装着する際に使用されるものであり、より具体的には、仮設手摺用スリーブ１０は、手摺支柱５の下端部分に外嵌された状態で、鞘管６と手摺支柱５との環状空隙に圧入固定されるものである。
【００３８】
仮設手摺用スリーブ１０は、例えば、ポリ塩化ビニルやポリスチレンなどの熱可塑性樹脂または熱硬化性樹脂などの合成樹脂で成形された筒状体２０で構成されている。
筒状体２０は、下端部２０ａの外径が鞘管６の内径より小さく、上端部２０ｂの外径が鞘管６の内径より大きい、下端部２０ａから上端部２０ｂに向けて拡径する外周面２０ｃと、下端部２０ａの内径が手摺支柱５の外径より小さく、上端部２０ｂの内径が手摺支柱５の外径より大きい、下端部２０ａから上端部２０ｂに向けて拡径する内周面２０ｄとを備えている。
【００３９】
筒状体２０は、その下端部２０ａの内径が上端部２０ｂの内径よりも１．５ｍｍから３ｍｍ程小さくなるように成形されることが好ましい。また、筒状体２０は、その肉厚が下端部２０ａから上端部２０ｂまで略均一に成形されることが好ましい。また、筒状体２０は、上端部２０ｂに手摺支柱５が挿入される挿入口２３と、外向きのフランジ２４とを備えている。
【００４０】
さらに、筒状体２０は、その中間部より下部に、下端部２０ａから上端部２０ｂに向けて形成された少なくとも１以上のスリット２１と、外周面２０ｃにおける下端部２０ａからスリット２１の閉鎖端２１ａまでの間に、当該筒状体２０の中心軸を中心とする円周方向に形成された少なくとも１以上の帯状突起部２２とを備えている。
【００４１】
スリット２１は、本例では底面視約９０℃間隔で４カ所に形成されているが、４カ所に限定されない。また、スリット２１の長さは、筒状体２０の高さの半分以下が好ましく、筒状体２０の高さの１／３程度がより好ましい。また、スリット２１の幅は、例えば、下端部２０ａの内径の１／６〜１／９程度の幅サイズ（例えば、５ｍｍ前後）が好ましい。
【００４２】
帯状突起部２２は、本例では筒状体２０の下端面よりも少し上の位置に、一段ほど設けられているが、別の形態では、帯状突起部２２が所定間隔で２段以上設けられてもよい。
帯状突起部２２の縦断面の形状は、略円弧形状が好ましく、例えば、半円形状に成形してもよい。また、帯状突起部２２の頂部をつないだ円の直径が鞘管６の内径以下となるように成形することが好ましい。
【００４３】
なお、別の実施の形態では、帯状突起部２２に代えて、外周面２０ｃにおける下端部２０ａからスリット２１の閉鎖端２１ａまでの間に、当該筒状体２０の中心軸を中心とする円周方向に少なくとも１以上のイボ状突起部を設けてもよい。該イボ状突起部の形状は、例えば、半球形状などが好ましい。
【００４４】
また、図２の使用状態の断面図に示すように、仮設手摺用スリーブ１０は、筒状体２０の下端部２０ａから鞘管６に挿入されて、筒状体２０の外周面２０ｃの帯状突起部２２が鞘管６の内周面に密着されている。また、筒状体２０の外周面２０ｃが鞘管６の上端部分に密着されており、筒状体２０の上部１／４程度が鞘管６の上端部分からはみ出した状態で装着（圧入固定）されている。
また、筒状体２０の内部には、上端部２０ｂの挿入口２３より手摺支柱５が挿入され、筒状体２０の内周面２０ｄの少なくとも一部が手摺支柱５の外周面５ａに密着した状態で、手摺支柱５が固定されて仮設手摺３が仮設されるようになっている。
【００４５】
なお、仮設手摺３が設置された後、その設置部分に鞘管６の上方までコンクリートが打設されることとなるが、鞘管６の上端部分と筒状体２０の外周面２０ｃとが、隙間なく密着しているので、鞘管６の内部へのコンクリートの流入は防止される。
【００４６】
従って、コンクリートの固化後に、仮設手摺３の手摺支柱５を鞘管６から容易に引き抜くことが可能となる。また、筒状体２０の上部１／４程度が鞘管６からはみ出ているので、仮設手摺用スリーブ１０も容易に引き抜くことが可能となっている。また、仮設手摺用スリーブ１０は合成樹脂製であるので、鞘管６から仮設手摺用スリーブ１０を引き抜く代わりに、鞘管６より上に出ている筒状体２０のはみ出し部分を、コンクリート面と面一となるように切断工具でカット（切除）することも可能である。
【００４７】
上記実施の形態（１）に係る仮設手摺用スリーブ１０によれば、筒状体２０の外周面２０ｃの少なくとも一部と帯状突起部２２（又は前記イボ状突起部）とを鞘管６の内周面に密着させた状態で、かつ、筒状体２０の内周面２０ｄの少なくとも一部を手摺支柱５の外周面５ａに密着させた状態で、手摺支柱５を鞘管６に装着することができる。したがって、鞘管６に装着された仮設手摺３のぐらつきやガタ付きを効果的に防止することができる。また、筒状体２０がシンプルな形状であるので、金型などの製造コストを抑制することができ、製品のコストダウンを図ることができる。
【００４８】
また、仮設手摺用スリーブ１０によれば、帯状突起部２２（又は前記イボ状突起部）の縦断面が略円弧形状であるので、当該仮設手摺用スリーブ１０を手摺支柱５に外嵌させて、係る状態で手摺支柱５を鞘管６に挿入する場合であっても、筒状体２０の少なくとも下部を手摺支柱５と鞘管６との隙間（環状空隙）に容易かつ確実に圧入固定できる。
また、仮設手摺用スリーブ１０によれば、帯状突起部２２（又は前記イボ状突起部）の頂部をつないだ円の直径が、鞘管６の内径以下であるので、上記同様の効果が得られる。
【００４９】
また、仮設手摺用スリーブ１０によれば、筒状体２０の下端部２０ａの内径が上端部２０ｂの内径よりも１．５ｍｍから３ｍｍ程小さい、すなわち、内径差が小さいので、筒状体２０の内周面２０ｄに手摺支柱５の外周面５ａをより多く密着させることができ、鞘管６に装着された仮設手摺３のぐらつきやガタ付きの防止効果を高めることができる。
また、仮設手摺用スリーブ１０によれば、筒状体２０の肉厚が下端部２０ａから上端部２０ｂまで略均一であるので、筒状体２０の部分的なそりや歪みの発生を防止することができる。
【００５０】
図３は、実施の形態（２）に係る仮設手摺用スリーブ１０Ａを示す図であり、（ａ）は側面図、（ｂ）は平面図、（ｃ）は（ｂ）におけるｃ−ｃ線断面図である。なお、図１に示した仮設手摺用スリーブ１０と同一機能を有する構成部品には同一符号を付し、その説明を省略することとする。
【００５１】
仮設手摺用スリーブ１０Ａは、鞘管６の内周面に少なくとも一部を密着させた状態で挿入可能な筒状体２０Ａで構成されている。
筒状体２０Ａは、手摺支柱５が挿入される挿入口２３と、挿入口２３に向けてテーパ状に広げられたテーパ部２５と、テーパ部２５下側の略直胴形状をした胴体部２６と、胴体部２６の外周面２０ｃに、当該筒状体２０Ａの中心軸を中心とする円周方向に形成された１以上の帯状突起部２２Ａとを備え、これら帯状突起部２２Ａの先端が鞘管６の内周面に密着するように形成されている。
【００５２】
また、胴体部２６には、２つ以上のスリット２１Ａが形成されることによる弾性片２７が形成され、弾性片２７は、筒状体２０Ａの径方向内側に付勢されている。なお、胴体部２６は、その外周面２０ｃが鞘管６の内周面に接するように、その外径サイズが設計されている。また、スリット２１Ａの形状は、略逆Ｖ字形状でもよいし、図１のスリット２１のような矩形の切り欠き形状でもよい。
【００５３】
仮設手摺用スリーブ１０Ａでは、帯状突起部２２Ａが、筒状体２０Ａの胴体部２６の外周面２０ｃに沿って、平面視円弧状に複数（本例では、４箇所、３段）形成されているが、帯状突起部２２Ａの位置や段数はこれに限定されない。
【００５４】
上記実施の形態（２）に係る仮設手摺用スリーブ１０Ａによれば、筒状体２０Ａの胴体部２６の外周面２０ｃの少なくとも一部と帯状突起部２２Ａとを鞘管６の内周面に密着させた状態で、かつ、筒状体２０Ａの内周面２０ｄの少なくとも一部を手摺支柱５の外周面５ａに密着させた状態で、手摺支柱５を鞘管６に装着することができる。したがって、鞘管６に装着された仮設手摺３のぐらつきやガタ付きを効果的に防止することができる。また、筒状体２０Ａが比較的シンプルな形状であるので、金型などの製作コストを抑制することができ、製品のコストダウンを図ることができる。
【００５５】
また、胴体部２６に形成された弾性片２７は、筒状体２０Ａの径方向内側に付勢されている。これにより、胴体部２６の下端口径が胴体部２６の上部口径より小さくなり、鞘管６への筒状体２０Ａの挿入をよりスムーズに行うことができるとともに、胴体部２６の外周面２０ｃに形成された帯状突起部２２Ａの先端を鞘管６の外周面に押圧した状態で、手摺支柱５を鞘管６に装着することができる。したがって、鞘管６に装着された仮設手摺３のぐらつきやガタ付きをより効果的に防止することができる。
【００５６】
図４は、実施の形態（３）に係る仮設手摺用スリーブ１０Ｂを示す図であり、（ａ）は側面図、（ｂ）は平面図、（ｃ）は（ｂ）におけるｃ−ｃ線断面図である。なお、図１に示した仮設手摺用スリーブ１０、図３に示した仮設手摺用スリーブ１０Ａと同一機能を有する構成部品には同一符号を付し、その説明を省略することとする。
【００５７】
仮設手摺用スリーブ１０Ｂは、鞘管６の内周面に少なくとも一部を密着させた状態で挿入可能な筒状体２０Ｂで構成されている。
筒状体２０Ｂは、手摺支柱５が挿入される挿入口２３と、挿入口２３に向けてテーパ状に広げられたテーパ部２５と、テーパ部２５下側の略直胴形状をした胴体部２６と、胴体部２６の外周面２０ｃに形成された１以上のイボ状突起部２２Ｂとを備え、これらイボ状突起部２２Ｂの先端が鞘管６の内周面に密着するように構成されている。
【００５８】
仮設手摺用スリーブ１０Ｂでは、イボ状突起部２２Ｂが、筒状体２０Ｂの胴体部２６の外周面２０ｃに沿って、当該筒状体２０Ｂの中心軸を中心とする円周方向に４箇所、側面高さ方向に３段形成されているが、イボ状突起部２２Ｂの個数、その形成位置はこれに限定されないが、筒状体２０Ｂの外周面２０ｃに均等に分散された形態で形成されることが好ましい。
【００５９】
イボ状突起部２２Ｂの高さは、仮設手摺用スリーブ１０Ｂを鞘管６に挿入し、仮設手摺用スリーブ１０Ｂに手摺支柱５を挿入した状態で、鞘管６の外周面にイボ状突起部２２Ｂの先端が接する高さに（換言すれば、面一の高さとなるように）設定されている。
【００６０】
また、イボ状突起部２２Ｂの断面は、略半円形状となっており、イボ状突起部２２Ｂの大きさ（直径）は、その高さに応じて適宜設計することができる。なお、イボ状突起部２２Ｂの断面は、略半円形状に限定されるものではなく、イボ状突起部２２Ｂの先端に向けて曲面状に形成されていることが好ましい。
【００６１】
上記実施の形態（３）に係る仮設手摺用スリーブ１０Ｂによれば、筒状体２０Ｂの外周面の少なくとも一部とイボ状突起部２２Ｂとを鞘管６の内周面に密着させた状態で、かつ、筒状体２０Ｂの内周面の少なくとも一部を手摺支柱５の外周面５ａに密着させた状態で、手摺支柱５を鞘管６に装着することができる。したがって、上記した仮設手摺用スリーブ１０Ａと同様の効果を得ることができる。
【００６２】
図５は、実施の形態（４）に係る仮設手摺用スリーブ１０Ｃを示す図であり、（ａ）は側面図、（ｂ）は平面図、（ｃ）は（ｂ）におけるｃ−ｃ線断面図である。なお、図１に示した仮設手摺用スリーブ１０、図３に示した仮設手摺用スリーブ１０Ａと同一機能を有する構成部品には同一符号を付し、その説明を省略することとする。
図６は、実施の形態（４）に係る仮設手摺用スリーブ１０Ｃの使用状態の一例を示す縦断面図である。なお、図８に示した仮設手摺３の各部と同一機能を有する構成部品には、同一符号を付すこととする。
【００６３】
実施の形態（４）に係る仮設手摺用スリーブ１０Ｃでは、筒状体２０Ｃの外周面２０ｃに形成された帯状突起部２２Ａに加えて、筒状体２０Ｃの内周面２０ｄにも帯状突起部２２Ｃが一体的に形成されている。そして、外周面２０ｃに形成された帯状突起部２２Ａの先端が鞘管６の内周面に密着し、内周面２０ｄに形成された帯状突起部２２Ｃの先端が手摺支柱５の外周面５ａに密着するように構成されている。
【００６４】
仮設手摺用スリーブ１０Ｃでは、筒状体２０Ｃの内周面、本例ではテーパ部２５及び胴体部２６の内周面２０ｄに帯状突起部２２Ｃが所定間隔を設けて複数形成されている。帯状突起部２２Ｃは、例えば、筒状体２０Ｃの成形の際に一体成形される。図５の例では、帯状突起部２２Ｃは、高さ方向に７段形成されているが、帯状突起部２２Ｃの個数、その形成位置は、図５の例に限定されるものではない。帯状突起部２２Ｃは、７段以上であってもよいし、７段未満であってもよいが、筒状体２０Ｃの内周面、特に高さ方向に均等に分散された形態で形成されることが好ましい。また、別の実施の形態では、帯状突起部２２Ｃが、筒状体２０Ｃの内周面２０ｄに沿って平面視円形状（リング形状）に形成されてもよい。また、帯状突起部２２Ｃに代えて、イボ状突起部が形成されてもよい。
【００６５】
また、帯状突起部２２Ｃの断面は、略半円形状となっており、帯状突起部２２Ｃの大きさ（縦幅）は、その高さに応じて適宜設計することができる。なお、帯状突起部２２Ｃの断面は、略半円形状に限定されるものではなく、帯状突起部２２Ｃの先端に向けて曲面状に形成されていることが好ましい。
【００６６】
また、帯状突起部２２Ｃの高さは、仮設手摺用スリーブ１０Ｃが鞘管６と手摺支柱５との環状空隙に圧入に挿入された状態で、手摺支柱５の外周面５ａに帯状突起部２２Ｃの先端が接する高さに（換言すれば、面一の高さとなるように）設定されている。したがって、テーパ部２５の内周面２０ｄに形成された帯状突起部２２Ｃは、その高さが胴体部２６の内周面２０ｄに形成された帯状突起部２２Ｃの高さよりも大きくなるように形成され、また、テーパ部２５上端の挿入口２３に近い帯状突起部２２Ｃほど、その高さが大きくなるように形成されている。帯状突起部２２Ｃの縦幅は、例えば、５ｍｍ〜１５ｍｍ程度の大きさとすることができ、帯状突起部２２Ｃの高さサイズに比例するように、その縦幅サイズを設定してもよい。
【００６７】
また、図６の使用状態の断面図に示すように、仮設手摺用スリーブ１０Ｃは、筒状体２０Ｃの下端部２０ａから鞘管６に挿入されて、筒状体２０Ｃの外周面２０ｃの帯状突起部２２Ａが鞘管６の内周面に密着されている。また、筒状体２０Ｃの外周面２０ｃが鞘管６の上端部分に密着されており、筒状体２０Ｃの上部１／４程度が鞘管６の上端部分からはみ出した状態で装着（圧入固定）されている。また、筒状体２０Ｃの内部には、上端部２０ｂの挿入口２３より手摺支柱５が挿入され、筒状体２０Ｃのテーパ部２５及び胴体部２６の内周面２０ｄに形成された帯状突起部２２Ｃの先端が手摺支柱５の外周面５ａに密着した状態で、手摺支柱５が固定されて仮設手摺３が仮設されるようになっている。
【００６８】
なお、筒状体２０Ｃの外周面２０ｃに形成された帯状突起部２２Ａの形成位置は、手摺支柱５装着時における鞘管６の内周面との密着性を高めるため、内周面２０ｄに形成された帯状突起部２２Ｃの形成位置に対応させて設けることが望ましい。
【００６９】
上記実施の形態（４）に係る仮設手摺用スリーブ１０Ｃによれば、筒状体２０Ｃの胴体部２６の外周面２０ｃに形成された複数の帯状突起部２２Ａの先端を鞘管６の内周面に密着させた状態で、かつ、筒状体２０Ｃ（テーパ部２５及び胴体部２６）の内周面２０ｄに形成された複数の帯状突起部２２Ｃの先端を手摺支柱５の外周面５ａに密着させた状態で、手摺支柱５を鞘管６に装着することができる。したがって、鞘管６の内周面に溶接継目などの突起部分がある場合であっても、その部分を避けて、鞘管６と筒状体２０Ｃとを確実に密着させることができ、鞘管６に装着された仮設手摺３のぐらつきやガタ付きを効果的に防止することができる。
【００７０】
なお、上記実施の形態（４）では、帯状突起部２２Ｃが筒状体２０Ｃのテーパ部２５及び胴体部２６の内周面に形成されているが、別の実施の形態では、帯状突起部２２Ｃがテーパ部２５の内周面のみ、又は胴体部２６の内周面のみに形成されてもよい。
その場合、仮設手摺用スリーブ１０Ｃが鞘管６と手摺支柱５との環状空隙に挿入された状態で、手摺支柱５の外周面５ａに、テーパ部２５に形成された帯状突起部２２Ｃの先端と胴体部２６の内周面とが接するように、又はテーパ部２５の内周面２０ｄと胴体部２６に形成された帯状突起部２２Ｃの先端とが接するように（換言すれば、面一の状態となるように）、テーパ部２５及び胴体部２６の内径及び外径サイズなど、各部の形状が設計されることとなる。また、別の実施の形態では、帯状突起部２２Ｃが、例えば、筒状体２０Ｃの中心軸方向に対して斜め方向（例えば、３０度〜８０度のうちの任意の角度方向）に並列形成されてもよい。
【００７１】
図７は、実施の形態（５）に係る仮設手摺用スリーブ１０Ｄの使用状態の一例を示す部分断面図である。なお、図１に示した仮設手摺用スリーブ１０と同一機能を有する構成部品、及び図８に示した仮設手摺３の各部と同一機能を有する構成部品には同一符号を付し、その説明を省略することとする。
【００７２】
仮設手摺用スリーブ１０Ｄを構成する筒状体２０Ｄは、下端部２０ａの外径が鞘管６の内径より小さく、上端部２０ｂの外径が鞘管６の内径より大きい、下端部２０ａから上端部２０ｂに向けて拡径する外周面２０ｃと、下端部２０ａの内径が手摺支柱５の外径より小さく、上端部２０ｂの内径が手摺支柱５の外径より大きい、下端部２０ａから上端部２０ｂに向けて拡径する内周面２０ｄとを備えている。なお、内周面２０ｄは、下端部２０ａから上端部２０ｂに向けて手摺支柱５の外径よりわずかに大きい略同一内径を有する形状としてもよい。
【００７３】
さらに、筒状体２０Ｄは、その中間部より下部に、下端部２０ａから上端部２０ｂに向けて形成された少なくとも１以上のスリット２１と、筒状体２０Ｄの上部２箇所に、ボルト２９とナット３０を用いて、当該筒状体２０Ｄに挿入された手摺支柱５と一体化するためのボルト取付孔２８とを備えている。
そして、ボルト取付孔２８と、手摺支柱５に形成されたボルト挿通孔５ｂとにボルト２９が挿通されて、ナット３０で固定されることにより筒状体２０Ｄと手摺支柱５とが一体化されるように構成されている。
【００７４】
ボルト２９とナット３０とが、固定具の一例であり、筒状体２０Ｄの上部（筒状体２０Ｄの外径が鞘管６の内径よりも大きくなる高さの位置）に形成されたボルト取付孔２８が固定具取付部の一例である。
前記固定具は、ボルト２９とナット３０とに限定されるものではなく、前記固定具が、各種の固定ピンや抜け止めピンなどで構成されてもよく、前記固定具取付部が、これらの取付孔で構成されてもよい。
【００７５】
上記実施の形態（５）に係る仮設手摺用スリーブ１０Ｄによれば、筒状体２０Ｄと手摺支柱５とを一体化した状態で、鞘管６に装着したり、また鞘管６から取り外したりすることができ、着脱工程の簡略化を図ることができ、作業性を向上させることができる。
また、筒状体２０Ｄと手摺支柱５とが一体化され、また筒状体２０Ｄの肉厚が厚いので、鞘管６に装着された仮設手摺３のぐらつきやガタ付きを効果的に防止することができる。
また、筒状体２０Ｄがシンプルな形状であるので、金型などの製造コストを抑制することができ、製品のコストダウンを図ることができる。
【００７６】
なお、上記実施の形態（１）〜（４）に係る仮設手摺用スリーブ１０、１０Ａ、１０Ｂ、１０Ｃにおいて、仮設手摺用スリーブ１０Ｄと同様のボルト取付孔２８を設けて、筒状体２０、２０Ａ、２０Ｂ、２０Ｃ、２０Ｄと手摺支柱５とを一体化した状態（すなわち、ボルト取付孔２８と、手摺支柱５に形成されたボルト挿通孔５ｂとにボルト２９を挿通して、ナット３０で固定した状態）で、鞘管６に装着したり、また鞘管６から取り外したりできる構成としてもよい。
【００７７】
以上、本考案の好適な例を説明したが、本発明に係る仮設手摺用スリーブは、図８に示す仮設手摺３に限らず、種々の手摺の仮設に適用することができる。また、筒状体（２０、２０Ａ、２０Ｂ、２０Ｃ、２０Ｄ）自体の寸法を代えることにより、特に手摺支柱５の径が外形φ４２．７ｍｍの場合の他、単管パイプと称せされる外形φ４８．６ｍｍのいずれにも対応させることができる。
【符号の説明】
【００７８】
１  床面
２  柱
３  仮設手摺
４  枠部
５  手摺支柱
５ａ  外周面
５ｂ  ボルト挿通孔
６  鞘管
７  枠体
７Ａ  桁材
７Ｂ  補強材
８  Ｕ字管
１０、１０Ａ、１０Ｂ、１０Ｃ、１０Ｄ  仮設手摺用スリーブ
２０、２０Ａ、２０Ｂ、２０Ｃ、２０Ｄ  筒状体
２０ａ  下端部
２０ｂ  上端部
２０ｃ  外周面
２０ｄ  内周面
２１、２１Ａ  スリット
２１ａ  閉鎖端
２２、２２Ａ、２２Ｃ  帯状突起部
２２Ｂ  イボ状突起部
２３  挿入口
２４  フランジ
２５  テーパ部
２６  胴体部
２７  弾性片
２８  ボルト取付孔
２９  ボルト
３０  ナット
【図１】
0003225451.tif 000003
【図２】
0003225451.tif 000004
【図３】
0003225451.tif 000005
【図４】
0003225451.tif 000006
【図５】
0003225451.tif 000007
【図６】
0003225451.tif 000008
【図７】
0003225451.tif 000009
【図８】
0003225451.tif 000010
【図９】
0003225451.tif 000011
【図１０】
0003225451.tif 000012